(57)【特許請求の範囲】
【請求項１】
少なくとも２つの組合されたコイルを支持し可撓性材料をコイルの一方から分配する多重コイル分配装置であって、
フレームと、
複数のコイルを回転するよう支持する少なくとも１つのコイル支持体と、
長手方向に配置された複数のローラを有する固定されたアームと、
固定されたアームに近づきまた離れるよう動くことができ、長手方向に配置されたローラを有する可動アームと、
上記フレームに取り付けられると共に二つの供給部分と一つの出口部分とを有する二股に分かれたストラップシュートと、
可動アームに作動可能に連結され可動アームを固定アームから離れるよう動かす付勢要素と、
可動アームが固定アームから離れるよう動かされた時の係合位置と可動アームが固定アームに向って動かされた時の係合が外れた位置との間で作動するよう可動アームに連結されたブレーキ組立体とを具備し、
固定アームと可動アームとの間の空間が蓄積領域を区画形成し、蓄積領域が可動アームが固定アームに近づきまた固定アームから離れるにつれて大きさが変わるようになっている、多重コイル分配装置。
【請求項２】
可動アームが、固定アームに近づきまた離れて動くよう回動可能にフレームに取付けられている請求項１に記載の多重コイル分配装置。
【請求項３】
ブレーキ組立体が、組合されたコイルと共に回転するよう取付けられた滑車と、分配装置に第１の端部が固定するよう取付けられ第２の端部が動くことができるよう取付けられたブレーキ要素とを含み、ブレーキ要素が滑車に制動力を加えコイルの回転を停止するよう構成されている請求項１に記載の多重コイル分配装置。
【請求項４】
ブレーキ要素の第２の端部が可動アームに取付けられている請求項３に記載の多重コイル分配装置。
【請求項５】
固定アームのローラと可動アームのローラとが、可動アームが固定アームに近接して配置された時に相互に重なり合うようにそれぞれのアーム上に配置されている請求項１に記載の多重コイル分配装置。
【請求項６】
ローラの少なくとも１つに接触するよう配置された少なくとも１つの保持具ブラシを含んでいる請求項１に記載の多重コイル分配装置。
【請求項７】
それぞれがローラと組合された複数の保持具ブラシを含んでいる請求項１に記載の多重コイル分配装置。
【請求項８】
ローラの他方がローラ上の可撓材料を保持する第２のローラを含んでいる請求項６に記載の多重コイル分配装置。
【請求項９】
中央支持体を含み、少なくとも１つのブレーキ組立体が第１のコイル支持体と第２のコイル支持体との中間で中央支持体に取付けられている請求項１に記載の多重コイル分配装置。
【請求項１０】
固定アームと可動アームとが中央支持体に取付けられている請求項９に記載の多重コイル分配装置。
【請求項１１】
供給部分が第１のらせん部分と第２の逆方向のらせん部分とを含んでいる請求項１に記載の多重コイル分配装置。
【請求項１２】
第１のらせん部分と第２の逆方向のらせん部分とが相互に鏡像関係にある請求項１１に記載の多重コイル分配装置。
【発明の詳細な説明】
【０００１】
【発明の属する技術分野】
コイル分配装置は多くの作用のためのコイル材料の源又は供給として使用されている。１つの適用例においては、縛り用の材料がバンド掛け機に用いるためコイル上に供給される。種々の型のバンド掛け機が当該技術分野においては周知である。
【０００２】
縛り材料はコイルからバンド掛け機に供給される。コイルはコイル分配装置上に支持される。コイル分配装置はバンド掛け機への縛り材料の制御された供給源を提供する。機能的には、分配装置はバンド掛け機への縛り材料に（要求がある時）材料上の小さな抵抗を付与しなければならない。しかし分配装置はまたコイルが自由に転動する（自由回転）のを阻止しそれにより縛り材料にとって必要でない時に縛り材料がコイルから連続して供給できるようにしなければならない。このため、分配装置は要求がなくなったときにコイルが自由に回転しないよう速度を遅くし又は制御する装置を含んでいなければならない。
【０００３】
【従来の技術】
１つの公知の分配装置はコイルがその周りに回転するよう取付けられたシャフトを含んでいる。円形の側部プレートがコイルの側面にコイルと共に回転するよう取付けられる。シャフトはフレーム上に位置している。縛り材料のコイルを取付けるため、分配装置は開放され、側部プレートが取外され傍らに置かれる。コイルはこのプレート上に置かれ、そしてプレートとコイルは分配装置に再度取付けられる。
【０００４】
分配装置はコイルシャフトの周りに回動するダンサーアームを含んでいる。ローラが回転のアーム軸線と反対側のダンサーアームの端部に配置される。ブレーキ組立体がダンサーアームに取付けられ側部プレートと係合しまた離れるよう運動する。ダンサーアームはブレーキが側部プレートと係合するよう付勢されている。
【０００５】
分配装置はダンサーアームローラから離間しフレームに取付けられた第２のローラを含んでいる。縛り材料はダンサーアームローラとフレームローラとの周りに、コイルから供給される。縛り材料は次にバンド掛け機に供給される。要求が増すにつれて、ダンサーアームはブレーキから離れて回動する。ストラップ（縛り帯）への要求がコイルを加速し、それによりストラップをコイルから分配する。要求が少なくなるにつれてダンサーアームがその制動状態に戻り、コイルは速度が低下し自由の転動と要求のない供給を阻止する。
【０００６】
他の型の単一コイル分配装置は固定アームとダンサーアームとを含んでいる。ダンサーアームはコイルの軸線から離間した回転の軸線の周りに回動する。各ダンサーアームと固定アームは相互に近接して（すなわち並んで）配置された複数のローラを各アームの端部に含んでいる。ダンサーアームは固定アームから離れるよう付勢され相互の間の距離が増すようにする。これは縛り材料の長さが縛り材料がコイルから引出されるにつれて制御され指示された状態で蓄えられる蓄積領域を提供する。この分配装置は制動力を付与しコイルの自由の転動を阻止するためにチェーンとスプロケットからなる複雑な構造を含んでいる。
【０００７】
これら分配装置の各々はその意図された機能のために良好に作動するが、両者とも欠点を有している。単一アームの分配装置においては、縛り材料が供給される（又はコイルから引出される）速度が制限される。すなわち、この型の分配装置は遅い速度のバンド掛け機〔秒当り約５フィート（１．５２ｍ）のストラップの使用〕では良好に作動するが、高速の機械では良好に作動しない。詳細にはこの分配装置の構造では、休止時に分配装置からバンド掛け機に供給することのできるストラップの有効な“蓄積”のための領域が存在しない。このように、高速のバンド掛け機に用いられた時、この分配装置はそのバンド掛け機の低速の分配のためバンド掛け機供給ホイールの束縛をひき起こすことが分かっている。
【０００８】
これらの欠点は２つのアームの分配装置によって処理することができるが、この分配装置は製造するのに費用がかかりまた設計が複雑となる。特に、チェーンとスプロケットを用いるブレーキ装置は分配装置のコストを非常に増大させまた同時に装置全体の複雑さを増大させる。さらに、固定されたダイサーアームがそれぞれ複数の並んだローラを含んでいるため、新しい縛り材料がバンド掛け機械に供給された時、縛り材料はこれらローラの周りで結ばれ又は通されなければならない。これらのローラが相互に並んで配置された場合、この結びつけ又は挿通は極めて時間を要し混乱が生じる。
【０００９】
さらに、これらの構造は両方とも縛り材料のコイルを取替える時に多くの時間と人力とを必要とすることが知られている。さらに、縛り材料のコイルを取替える時、バンド掛け機は新しいコイルが分配装置上に置かれ分配装置が作動状態に戻るまで、その作動を休止しなければならない。これは機械の“休止時間”を長びかせ全体の製造又は包装作用に不利な影響を与える。
【００１０】
【発明が解決しようとする課題】
したがって、縛り材料をコイルから分配するためのコイル分配装置が必要となる。好ましくは、この分配装置は多数のコイル取付け装置を含み縛り材料のコイルの取替え時の休止時間を短縮するようになっている。より望ましくは、この分配装置は縛り材料の大きな蓄積部を提供しそれにより高速の縛り作用が十分に行われるようにする。最も望ましくは、この分配装置は新しいコイルを始動させる時に必要とされる最小の縛り作用による簡単な使用を可能にする。さらに、この分配装置は操作員の意向で容易に利用できる簡単なブレーキ装置を用いている。
【００１１】
【課題を解決するための手段】
多重コイル分配装置が可撓性材料を一方のコイルから分配する少なくとも２つの組合されたコイルを支持する。この分配装置はフレームと組合されたコイルを回転するよう支持する少なくとも１つのコイル支持体とを含んでいる。
【００１２】
固定されたアームがフレームに取付けられまた長手方向に沿って配置された複数のローラを含んでいる。好ましくはアームはフレームに上方に角度をなして取付けられる。
【００１３】
可動のすなわちダンサーアームが固定アームに向ってまた固定アームから離れるよう移動可能に取付けられる。好ましくは、可動アームはスプリングにより固定アームから離れるよう付勢される。本発明の実施態様においては、可動アームは固定アームに近づきまた離れるよう回動する。可動アームは固定アームと同様に長手方向に沿って配置された複数のローラを有している。固定アームローラと可動アームローラとはそれぞれのアームに配置され可動アームが固定アームに近接して配置された時相互に重なり合うようにする。
【００１４】
１つの実施態様では、保持装置が少なくとも一部のローラに組合わされる。これら保持装置は、それぞれが縛り材料にこれとその関連のローラとの間で接触するように配置された１つ又は複数の保持具ブラシとして構成することができる。これに代え、保持装置はストラップのローラ（第１の）との接触を保持するよう配置された第２のローラとして構成することができる。
【００１５】
分配装置は、可動アームが固定アームから離れるよう動かされた時の係合位置と可動アームが固定アームに向って動かされた時の非係合位置との間で作動するよう可動アームに連結されたブレーキ組立体を含んでいる。ブレーキ組立体は、関連のコイルと共に回転するよう取付けられた滑車と第１の端部が分配装置に第２の端部が可動アームに固定するよう取付けられたブレーキベルトとして構成することができる。ブレーキ要素は可動アームが固定アームから離れるよう動く（回動する）につれてコイルの回転を停止させるよう滑車に制動力を加えるよう構成される。
【００１６】
アームはその間にスペース又は蓄積領域を区画形成する。蓄積領域は可動アームが固定アームに近づきまた離れるよう動くにつれて大きさが変わる。すなわち、蓄積領域は可動アームが固定アームから離れるよう動くにつれて大きさが増し、可動アームが固定アームに近づくよう動くにつれて大きさが減少する。このようにして、相当量のストラップが可動アームが固定アームから最も離れている時に蓄積領域に蓄えられる。
【００１７】
ストラップをどちらかのコイルから中央に位置するアームに供給するのを容易にするため、分配装置は二またに分かれたストラップシュートを含んでいる。このシュートは２つの第１のすなわち供給部分と出口部分とを含んでいる。入口と共通の出口との接合部との間で、供給部分に、シュートは第１のらせん部分と第２の逆方向のらせん部分とを含むことができる。これらのらせん部分はストラップをコイルを出る位置から固定アームと可動アームを通過する中央位置へと向け直すのを容易にする。
【００１８】
本発明のこれらのまた他の特徴と利点は添付図面と関連した以下の詳細な説明から明らかとなるであろう。
【００１９】
【発明の実施の形態】
本発明の利益と利点は当業者にとって以下の詳細な記載と添付図面を精査した後に容易に明らかとなるであろう。
【００２０】
本発明は種々の形式で実施態様を記載することができるが、図面で示され以下はこの開示が本発明の典型例と考えられ、本発明をこの特定の図示された実施態様に限定することを意図しないことが理解されるよう好ましい実施態様が記載される。
【００２１】
またここに記載された実施態様に本発明が限定されるものでないことが理解されるべきである。
【００２２】
ここで図面、特に図１を参照すると、本発明の原理を具体化した多数コイル分配装置１０が示されている。分配装置１０は中央の直立支持体１４を有するフレーム１２を含んでいる。図示の分配装置１０は縛り材料Ｓを供給するための一対のコイルＣを収容するよう構成されている。
【００２３】
分配装置１０は縛り材料Ｓのような可撓性材料をコイルＣの一方から例えばバンド掛け機（図示しない）に供給するよう構成されている。当業者は種々の型のバンド掛け機が商業的に入手可能であることを認識し理解するであろう。本発明の分配装置は縛り材料が駆動組立体により荷の周りに、縛り材料に張力がかけられシールされて供給される自動型のバンド掛け装置と共に用いるようになっている。
【００２４】
これら機械が作動する速度は増大している。同様に、これら機械を作動する自動装置もまた増速している。このため、分配装置１０は高速で（秒当り１０フィートすなわち３．０５ｍまで又はそれ以上）作動することが必要であり、またその設計は換作者の注意を少なくするよう考慮しなければならない。本発明の分配装置１０は、このような高速の使用を可能にしまた同時に特にその再度の供給、コイルの取替え及びブレーキ構造に簡単な設計を用いることにより、これらの目的を達成する。
【００２５】
コイルＣはフレームの直立支持体１４の両側に相互に並列した状態で配置される。車軸又はスピンドル組立体１６が、コイルＣを支持しまたコイルＣを取付けるシャフト１８、図示した典型的なブレーキ組立体のようなブレーキ手段２０、コイルＣの側面の上に配置された外側プレート２２又はカバー、及びコイルＣをスピンドル１６の上にロックするハブ２４を含んでいる。
【００２６】
分配装置１０はフレーム１２に固定するよう取付けられた第１の固定又はブームアーム２６を含んでいる。１つの実施態様では、固定アーム２６は上方に傾斜して直立支持体に取付けられる。分配装置１０はさらに固定アーム２６と直立支持体１４に対して回動するよう取付けられた可動又はダンサーアーム２８を含んでいる。この実施態様では、ダンサーアーム２８は直立支持体１４に対し回動するようシャフト又はピン３０によって直立支持体１４に取付けられる。ダンサーアーム２８は枢軸ピン３０の一側の前方部分３２と枢軸ピン３０の他側の後方部分３４とを含んでいる。典型的なコイルスプリングのような付勢要素３６が、枢軸ピン３０から離間してダンサーアーム前方部分３２に一端が取付けられ、またフレーム１２にその他端が取付けられる。スプリング３６はダンサーアーム２８を図２に見られるように、下側の又は低い供給位置へと付勢する。
【００２７】
公知の分配装置とは異なり、本発明の多数コイル分配装置１０はアーム２６，２８を介する縛り材料Ｓの運動を容易にするローラ手段を含んでいる。図示の実施態様では、アーム２６，２８は各アーム２６，２８の長さに沿って延びる複数のローラ組立体３８〜５０を含んでいる。図示の実施態様では４つのローラ組立体３８，４２，４６及び５０が固定アーム２６に沿って配置され３つのローラ組立体４０，４４及び４８がダンサーアーム２８に沿って配置されている。図１〜３から明らかなように、ローラ組立体３８〜５０は固定アーム及びダンサーアーム２６，２８に沿って配置されそれによりローラ組立体が反対側のアーム上のローラ組立体とは完全には整列しないようにする。すなわち、ダンサーアームローラ組立体４０，４４，４８は固定アームローラ組立体３８、４２，４６，５０の間に“入り込む”ようになっている。したがって、ローラ組立体４０はローラ組立体３８と４２の間に位置し、ローラ組立体４２はローラ組立体４０と４４の間に位置し、ローラ組立体４４はローラ組立体４２と４６の間に位置する。このようにして、図１〜３に見られるように、縛り材料Ｓはローラ組立体からまたその間を実質的に重なることなくまた実質的に隣接する縛り材料の経路に接触することなく、走行する。
【００２８】
ローラ組立体３８〜５０の各々はストラップＳがその周りを通過する第１のローラ３８ａ〜５０ａと保持具３８ｂ〜５０ｂとを含んでいる。保持具３８ｂ〜５０ｂは、縛り材料Ｓを第２のローラ３８ｂ，４０ｂと対応の第１のローラ３８ａ，４０ａとの間に保持するよう配置された第２のローラ３８ｂと４０ｂとして形成することができる。保持具はまた図６に示される４２ｂ〜５０ｂのようなブラシとして構成することができる。ブラシはストラップＳにこれがローラ４２ａ上あるとき接触するように構成された可撓性の剛毛部部５２を含んでいる。このようにして、ブラシ５２はストラップＳをローラ４２ａ上に保持しまたさらにストラップが分配ローラ４２〜５０を通過するにつれてごみやほこりをストラップＳから拭き取る。このようなブラシ５２はごみが後に、バンド掛け機の溶着ヘッドによりバンド掛けの作動時に集まるのを減少させることが知られている。
【００２９】
第１ローラ３８ａ〜５０ａの各々はストラップ表面５４（仮想線で示される）とストラップ表面５４から外側に（上方に）延びストラップＳをローラ組立体３８〜５０の内部に保持する案内又は側壁５６とを含んでいる。
【００３０】
次に図４を参照すると、本発明の多重コイル分配装置１０は共通の固定されたダンサーアーム２６，２８を用いる一対のコイルＣに適応している。この目的で、５８で示されるようにコイルＣを離れるストラップの個所から図７〜９に最も良く見られる固定されたアーム２６までの経路を提供するため、分配装置１０はコイルＣの間でフレーム１２に取付けられた分割され又は二またに分かれたシュート６０によって例示されるようなシュート手段を含んでいる。
【００３１】
シュート６０は相互に接合し共通のシュート部分６６を形成する一対の実質的に鏡像関係の第１の又は供給部分６２を含んでいる。共通のシュート部分６６は単一の共通出口６８で終わっている。ストラップＳがコイルＣからアーム２６，２８に供給されるときストラップＳを正しい位置に保持するため、供給部分６２は入口７２に近接した第１のねじれ部（７０で示される）と共通のシュート部分６６を形成する接合部７６の第２の逆方向のねじれ部（７４で示される）とを有する逆方向のらせん形状を有している。
【００３２】
シュート６０はストラップを１つの線の走路Ｔ1 で受け取りこのストラップＳをストラップＳに望ましくないねじれを生じないで平行な線の走路Ｔ2 に移送又は搬送することができるようにする。シュート６０はストラップＳを回転又はねじらずに一定状態に保持するよう構成されている。
【００３３】
図１から３をさらに参照すると、ブレーキ装置の１つの実施態様として示されるブレーキ手段２０が設けられている。この実施態様ではブレーキ２０は両方のコイルＣに共通である。あるいは、ブレーキがコイルの各々と組合せることができる。ブレーキ２０はコイルＣと共に回転するよう取付けられたブレーキ部材又は滑車７８と、ブレーキ要素８０とを含んでいる。ブレーキ要素８０は、一端がフレーム１２に取付けられ滑車７８の周りを通過し他端がダンサーアームの後方部分３４に固定された可撓性要素である。図面から容易に明らかとなるように、ダンサーアーム２８が下側位置にある時（図１）、ブレーキ要素８０は滑車７８の周りで引張られ緊張する。これはコイルＣの回転に摩擦停止を与える。逆に、ダンサーアーム２８が上側位置にある時（図３）、ブレーキ部材７８上の張力が減少されそのためコイルＣは自由に回転できるようになる。
【００３４】
この実施態様では、ブレーキ要素８０はクラッチ用織物のＶベルトのような、ベルトである。ベルト８０は滑車７８の周りに巻きつくよう十分に屈撓可能であり、また同時に必要な制動力を提供するよう十分な強度を有している。この実施態様では、ダンサーアーム２８はベルト８０がアーム２８に取付けられる位置の近くの後端にストッパ８２を含んでいる。ストッパ８２は下側位置を超えるダンサーアーム２８の回転を阻止する。現に、ストッパ８２は水平から約４５°を超えるダンサーアーム２８の回転を阻止する。
【００３５】
分配装置１０の機能と作用は図１から図３とバンド掛け機の作用とを参照して以下に記載される。典型的なバンド掛け機では、ストラップは縛られ又は束ねられる荷の周りに供給される時に供給されることが要求される（すなわち要求）。ストラップが荷の周りの走行を完了した時、ストラップの要求は低下しそれによりバンド掛け機はストラップの緊張、切断及び溶着のような全ての必要な機能を遂行する。その結果、ストラップは他の荷を束ねるためバンド掛け機を通って再度供給される。
【００３６】
当業者はバンド掛け機からの要求が安定した不変の要求ではなくむしろ周期であることを認識するであろう。すなわち、その後で要求が低下するバンド掛け機の一定量の縛り材料に対する即時の要求がある。要求はしたがって次の縛り作用を再び求める。すなわち、縛り材料の加速は非常に高く、秒当り約１０フィート（３．０５ｍ）の供給速度に達する。さらにまた、要求の低下は同様に殆んど瞬間的である。
【００３７】
縛り材料を直接コイルから供給することはこれらの高い要求サイクルには適応できないことが分かっている。すなわち、コイルは相当量のストラップ上の抵抗又は抗力を生じることなくバンド掛け機へのストラップの安定した供給を維持するのに十分に速く加速することができない。したがって、蓄積領域で、ストラップが、ほんの少しからゼロの又は制御された抵抗でバンド掛け機械に供給することができる整然とした状態で、コイルから離れて蓄積される分配装置を有することが望まれる。
【００３８】
本発明の分配装置１０はこの高い周期的な要求パターンに適応するよう構成されまた特に最近の高速バンド掛け機によって行われる時のこの要求に適応するよう構成されている。
【００３９】
この目的で、ストラップＳに対する要求が低下した時、付勢要素３６がダンサーアーム２８を下側の位置又は低い供給位置（図２）へと引き又は付勢する。上記のように、アーム２８がこの下側位置へと動いている時、ブレーキ２０が係合し始めコイル２０の回転を遅くする。しかし、アーム２８がこの位置に動くにつれて（アーム２８が完全に下側位置となる前）、ブレーキ２０は完全には係合されず、縛り材料はコイルＣから引出され（又は供給され）続ける。すなわち、縛り材料Ｓの供給はブレーキ作用が増すにつれて遅くなる。アーム２８が完全に下側位置に達すると、ブレーキ２０は完全に係合されコイルＣがさらに回転（及びコイルからの供給）するのを阻止する。
【００４０】
さらに、ダンサーアーム２８と固定アーム２６との間の離間した関係のため、ストラップＳが蓄積領域８４のローラ３８〜５０の間を通過するにつれてストラップＳの実質的な蓄積が生じる。本発明の分配装置１０においては、縛り材料の約２２フィート（６．７１ｍ）の蓄積が得られる。
【００４１】
つぎに図３を参照すると、バンド掛け機の第１の要求の時点で、ストラップＳは矢印８６で示されるように分配装置１０から付勢される。この高い供給位置で、ストラップＳが“引かれ”、（コイルＣが停止される時点の前に）ダンサーアーム２８は上方に引かれ（付勢要素３６の力に抗して）また固定アームとダンサーアーム２６，２８の間の蓄積領域８４にあるストラップＳがバンド掛け機に供給される。これと同時に、ダイサーアーム２８が上方に付勢されているので、ブレーキ２０は解放されコイルＣの回転ができるようにする。コイルＣが回転しストラップＳの要求が続くにつれて、ストラップＳはコイルＣからローラ３８〜５０を通って分配される。
【００４２】
即時の要求が行われた後安定した要求が続くにつれて、ストラップＳは固定アーム２６とダンサーアーム２８との間の蓄積領域８４にコイルＣから供給され続ける。こうして、コイルＣ上の抵抗が小さいため（ブレーキ２０が解放されコイルＣがすでに回転しているため）、付勢要素３６はダンサーアーム２８を下方に付勢し又は引き始める。ダンサーアーム２８が下方に付勢され続けるにつれて、蓄積が蓄積領域８４の内部で続く。このように図１を参照すると、ダンサーアーム２８は中間位置又は“安定”供給位置にあるところが見られる。
【００４３】
ダンサーアーム２８を下方へ引き続けることによりコイルＣの回転を遅くし始めるブレーキ２０を係合させ、最後にコイルの回転を停止する。さらに、バンド掛け機からの要求が低下するにつれて、蓄積領域８４は図２に見られるように、再び充填される。
【００４４】
当業者はブレーキ手段、ローラ手段、シュート手段及びその他の開示された機能の種々の配置、形状、構造が実施可能であり、その他の配置、形状及び構造が本発明の範囲と精神に含まれることを認識するであろう。
【００４５】
上記のように、本発明の分配装置１０はまたコイルＣの取替え又は変更を容易に行うことができる。当業者によって理解されるように、この変更は分配装置が縛り材料を他方のコイルから供給するよう作動している間に一方のコイルに対して行うことができる。このため、各コイルの変更は連続した作動をすることができるよう直立した位置にある全体の分配装置１０に対して行われる。コイルの一方を取替えるために、適当なハブ２４がスピンドル１６から取外される。このハブ２４はねじ込み型又はボルト止め型とすることができる。他の機械的な締結装置もまた用いることができる。ハブ２４が取外されるとともに、外側又は側部プレート２２が同様に取外され、コイルＣに接近できるようになる。空のコイルは次に取外され代わりのコイルがスピンドル１６上に配置される。側部プレート２２はハブ２４について行われるように、取替えられ、所定位置に固定される。分配装置はそれから縛り材料Ｓを取替えられたコイルＣから供給するのに備える。
【００４６】
この開示において“１つの”又は“ある”なる語句は単数と複数の両方を含むように解されるべきである。これに対し、複数の事項に対する参照符号は理解される場合は単数を含むものである。
【００４７】
上記のことから多くの変更と改変が本発明の新規の概念の真の精神と範囲から逸脱することなく達成できることが認められるであろう。例示された特定の実施態様について何らの限定が意図されるものではなく又は推察されるものではないことが理解されるべきである。この開示は特許請求の範囲によって保護され全ての変更は特許請求の範囲に含まれることが意図されるものである。
【図面の簡単な説明】
【図１】本発明の原理を具体化する多数コイル分配装置の側面図であり、分配装置はダンサーアームがほぼ中間位置又は安定供給位置にあるところが示されている。
【図２】ダンサーアームが下側の又は低い供給位置にあるところを示す図１と同様の側面図である。
【図３】ダンサーアームが上側の又は高い供給位置にあるところを示す図１及び２と同様の側面図である。
【図４】図３の４−４線に沿った分配装置の部分断面図である。
【図５】分割ストラップシュートを示す分配装置の頂面図である。
【図６】ストラップ保持具ブラシが配置されているローラ組立体の部分拡大図である。
【図７】二またの又は分割されたストラップシュートの頂面図である。
【図８】上記ストラップシュートの前面図である。
【図９】上記ストラップシュートの側面図である。
【符号の説明】
１０…分配装置
１２…フレーム
１４…直立支持体
Ｓ…縛り材料
Ｃ…コイル
１６…スピンドル組立体
１８…シャフト
２０…ブレーキ手段
２２…外側プレート
２４…ハブ
２６…固定アーム
２８…可動アーム（ダンサーアーム）
３０…枢軸ピン
３２…前方部分
３４…後方部分
３６…スプリング
３８〜５０…ローラ組立体
３８ａ〜５０ａ…第１のローラ
３８ｂ〜５０ｂ…保持具ローラ
４２ｂ〜５０ｂ…保持具ブラシ
６０…シュート
７８…滑車
８０…ブレーキ要素（ベルト）
８２…ストッパ
【図１】
0004198948.tif 000002
【図２】
0004198948.tif 000003
【図３】
0004198948.tif 000004
【図４】
0004198948.tif 000005
【図５】
0004198948.tif 000006
【図６】
0004198948.tif 000007
【図７】
0004198948.tif 000008
【図８】
0004198948.tif 000009
【図９】
0004198948.tif 000010